(57)【要約】【課題】給油タンクを前押え操作具によって燃料タンクの近傍において支持し、給油作業を行い易くすることができる乗用作業機を提供する。【解決手段】走行機体３の前部に燃料タンク１２及び操縦部９を備え、前端部に地上操縦用の前押え操作具２を立設した乗用作業機であって、前記前押え操作具２を燃料タンク１２に給油をする給油タンク１５を載置支持する給油タンクステーとした。また前押え操作具２は、延長させて使用する延長姿勢と、走行時の短縮姿勢と、給油時に給油タンク１５を支持する給油姿勢とに切換自在に構成する。【選択図】図１
2008141983.tif 000002
【特許請求の範囲】
【請求項１】
走行機体３の前部に燃料タンク１２及び操縦部９を備え、前端部に地上操縦用の前押え操作具２を立設した乗用作業機において、前記前押え操作具２を燃料タンク１２に給油をする給油タンク１５を載置支持する給油タンクステーとしたことを特徴する乗用作業機。
【請求項２】
前押え操作具２を、地上操縦用の前押え操作具として延長させて使用する延長姿勢と、走行時に前方視界を妨げない短縮姿勢と、給油時に給油タンク１５を支持する給油姿勢とに切換自在に構成した請求項１記載の乗用作業機。
【発明の詳細な説明】
【技術分野】
【０００１】
本発明は、移植機やトラクタ等の乗用作業機に関する。
【背景技術】
【０００２】
従来、植付装置を備えた移植機を圃場への出し入れするための畦越え移動、或いはトラックなどの荷台に積み降ろしをする等、走行機体が前後に傾斜して搭乗運転が困難な場合には、特許文献１で示されるように走行機体の前部に立設した前押え操作具（押し下げ操作アーム）を、作業者が地上に降りて前押え操作して機体を操縦することができる。
この移植機の前押え操作具は、下部を支点としボンネットに近接させた格納姿勢から、前方に回動させて突出する作用姿勢とに切換自在に構成されている。
【特許文献１】特許第３４８８１８７号公報
【発明の開示】
【発明が解決しようとする課題】
【０００３】
上記特許文献１で示される移植機は、前押え操作具を格納姿勢において比較的小さいスペースで格納することができ、作用姿勢においては操作アームの先端部と前輪の軸心との距離を長くし機体に与える回動モーメントを大きくし、前押え操作を行い易くする等の利点がある。然し、この移植機において一般的には、エンジンの上方に設置される燃料タンクに給油する際には、ボンネットの前方に立設する前押え操作具が長いと給油タンクの持ち上げ保持を妨げ給油作業の邪魔になる等の欠点がある。そこで作業者は給油タンクをハンドルの上に載せた不安定な状態で給油作業を行ったりする等の問題がある。
【課題を解決するための手段】
【０００４】
上記課題を解決するために本発明の乗用作業機は、第１に、走行機体３の前部に燃料タンク１２及び操縦部９を備え、前端部に地上操縦用の前押え操作具２を立設した乗用作業機において、前記前押え操作具２を燃料タンク１２に給油をする給油タンク１５を載置支持する給油タンクステーとしたことを特徴としている。
【０００５】
第２に、前押え操作具２を、地上操縦用の前押え操作具として延長させて使用する延長姿勢と、走行時に前方視界を妨げない短縮姿勢と、給油時に給油タンク１５を支持する給油姿勢とに切換自在に構成したことを特徴としている。
【発明の効果】
【０００６】
本発明による乗用作業機は次のような効果を奏する。走行機体の前部に立設される地上操縦用の前押え操作具を、給油タンクを載置支持する給油タンクステーとした構成にすることにより、給油タンクを燃料タンクの近傍において、前押え操作具によって給油姿勢に簡単に支持することができると共に、給油作業を楽な姿勢で能率よく行うことができる。
【０００７】
前押え操作具を延長姿勢と短縮姿勢と給油姿勢とに切換自在に構成したことにより、延長姿勢において前押え操作具の上端と前輪との距離をより大きくすることができるので、押し下げ操作により機体前部の浮き上がりを比較的小さな操作力で抑制し、畦越え移動等の作業をスムーズに行うことができる。また延長姿勢にある前押え操作具は、走行時に短縮姿勢にすることにより前方視界を妨げない。また給油姿勢では給油時に給油タンクを安定よく簡単に支持することができる。
【発明を実施するための最良の形態】
【０００８】
本発明の一実施形態を図面に基づいて説明する。符号１は乗用作業機の一例として示す移植機であり、機体の前部に後述するように給油タンクを支持することができる前押え操作具２を備えている。この移植機１は図１，図２に示すように、前輪１ａと後輪１ｂを左右に有する走行機体３に、前側からエンジン５を搭載してボンネット６で覆い、その後方にハンドル７及び座席８等からなる操縦部９を配置し、機体後部に構成される３点リンク方式の昇降機構１０に植付装置１１を装着し、苗の植付作業を行うことができる。
【０００９】
上記移植機１は、ボンネット６の後方上方でハンドル７の前方直下部に燃料タンク１２を設置し、ボンネット６の両側に操縦部フロア１３に連なる前部ステップ１４を形成している。
【００１０】
図１〜図４を参照し上記前押え操作具２の第１実施形態について説明する。この前押え操作具２は走行機体３の前部に取付固定される下部ステー１７と、該下部ステー１７に姿勢切換機構１９を介して連結される上部ステー２０とからなる。これにより前押え操作具２は姿勢切換機構１９を介し、図１の実線で示す下部ステー１７の上部に対し上部ステー２０を後方に姿勢変更させて給油タンク１５を載置支持する給油姿勢と、下部ステー１７の延長線上に上部ステー２０を位置させた延長姿勢と、上部ステー２０を折畳んだ状態の短縮姿勢との３態様姿勢の切換を簡単に行う構成としている。
【００１１】
即ち、図示例の前押え操作具２は、左右の下部ステー１７の下部を走行機体３の前部フレームに突設される左右の取付ブラケット２１に取付固定して立設し、且つ左右の下部ステー１７は中途部を横枠１７ａで連結し、上部に連結軸２２を挿入した剛性を有する枠体構造にしている。そして、Ｕ字状に形成した上部ステー２０は両端を連結軸２２に回動自在に挿入し、姿勢切換機構１９を介して姿勢切換自在に取付支持している。
【００１２】
上記姿勢切換機構１９は図４に示すように、上部ステー２０の左側端に連結軸２２に挿入する支持板２３を設け、支持板２３には前記３態様姿勢の位置決めをする３個の支持孔２５を各対応する位置に連結軸２２から同半径で穿設し、且つ３個の支持孔２５に択一的に挿入する切換ピン２６を、下部ステー１７の上端に形成した横孔２７にスライド自在に挿入支持する構成としている。
【００１３】
これにより姿勢切換機構１９は切換ピン２６を給油姿勢位置の支持孔２５に挿入すると、両者の系合により上部ステー２０を図１，図４で示すように給油姿勢に位置決め支持することができる。
このとき上部ステー２０の先端はハンドル９上に接当させるようすると、下部ステー１７とハンドル９とで水平状に両持ち支持された上部ステー２０の上に、重量のある給油タンク１５を前押え操作具２の構造を大型化することなく簡潔で廉価な構成によって安定よく支持することができる。
【００１４】
以上のように構成される前押え操作具２を備えた移植機１は、上部ステー２０を短縮姿勢にすると、上部ステー２０は連結軸２２を支点に前方に回動して下部ステー１７内に折畳んだ格納状態にすることができるので、作業者の前方視界を妨げることなく走行及び植付作業を行い易くすることができる。そして、畦越え移動やトラック荷台の積み降ろし等で、走行機体３が前後に傾斜して搭乗運転が困難な場合には、作業者は地上に降りて前押え操作具２を押し下げ操作し機体前部に下向きの荷重をかけることで、機体前部の浮き上がりを比較的に小さな操作力で抑制するが、押し下げ操作力が不足する場合、又はより小さな操作力で前上がりを押えたい場合には、短縮姿勢にある姿勢切換機構１９の切換ピン２６を操作し上部ステー２０を延長姿勢に固定する。
【００１５】
これにより前押え操作具２は下部ステー１７に対し上部ステー２０を直線状に延長させた延長姿勢とし、上部ステー２０の上端と前輪１ａとの距離を大きくすることができるので、上部ステー２０の上端を押し下げ操作し下向き荷重をかけると、機体前部の浮き上がりを比較的に小さな操作力で抑制し、畦越え移動及びトラック荷台の積み降ろし作業をスムーズに行うことができる。
【００１６】
そして、燃料タンク１２に給油を行うとき、延長姿勢又は短縮姿勢にある前押え操作具２を姿勢切換機構１９の切換ピン２６を操作し延長姿勢位置の支持孔２５に切換挿入すると、上部ステー２０は図４で示す給油姿勢に位置決め支持することができる。この状態で上部ステー２０は下部ステー１７とハンドル９に支持されるので、前押え操作具２を給油タンク１５を支持する給油タンクステーとして利用しながら、給油タンク１５を安定よく支持することができ、支持された給油タンク１５から給油ポンプ１６を使用し、蓋を取り外した状態の給油口から燃料を燃料タンク１２内に簡単に供給することができ、作業者は給油ポンプ１６のセット及び給油作業を楽な姿勢で能率よく行うことができる。
【００１７】
次に図５〜図１３を参照し前押え操作具２の各実施形態について説明する。尚、上記実施形態のものと同様な構成及び作用については説明を省略する。
先ず図５〜図７で示す第２実施形態に関る前押え操作具２は、走行機体３の前部に立設する下部ステー１７の上部に、上部ステー２０を連結軸２２によって回動自在に連結している。また姿勢切換機構１９は上部ステー２０の中途部に切換支持片３０を回動自在に枢支し、その下端を図５で示す実線の給油姿勢位置３１と延長姿勢位置３２と短縮姿勢位置３３とに、例えば抜き差し自在な系合ピン（切換ピン）によって択一的に連結する構成としている。
【００１８】
この実施形態による前押え操作具２は、給油姿勢において下部ステー１７の給油姿勢位置３１に連結される切換支持片３０が、上部ステー２０を下方から筋交い状に支持するので、給油タンク１５の載置支持をハンドル９を使用することなく安定よく行うことができる。また上部ステー２０は切換支持片３０の下端を延長姿勢位置３２と短縮姿勢位置３３とに連結するだけで、前押え操作具２を延長姿勢と短縮姿勢とに簡単に切換ることができる。尚、３態様姿勢の姿勢切換手段は上記のような構成に限ることなく、例えば上部ステー２０に対し下部ステー１７をスライド自在に支持した状態で、該上部ステー２０を延長姿勢と短縮姿勢と給油姿勢に切換支持する構成にすることもできる。
【００１９】
次に前押え操作具２の第３実施形態について図８〜図１０を参照し説明する。この前押え操作具２は、走行機体３の前部に突設される左右の取付ブラケット２１にＬ字状のステー１７，１７を取手部を形成するように対向させて回動自在に軸支し、互いの中途部を連結部材３５によって連結している。また姿勢切換機構１９はステー１７を取付ブラケット２１に挿入した連結軸２２に回動自在に設け、系合ピンとを択一的に連結することによって、給油姿勢位置３６と起立姿勢位置３７とに切換可能に構成にしている。
【００２０】
この構成により前押え操作具２は、連結軸２２を支点として起立姿勢位置３７に姿勢変更すると、図８の点線で示す起立姿勢（作用姿勢）に固定されて前押え操作具２として使用することができる。また前押え操作具２は給油姿勢位置３６に姿勢変更すると実線で示す略水平状態となり、この上に給油タンク１５を安定よく載置支持することができ、給油タンク１５を燃料タンク１２の近傍に支持し給油作業を能率よく楽に行うことができる。
【００２１】
次に前押え操作具２の第４実施形態について図１１〜図１３を参照し説明する。この前押え操作具２は、走行機体３の前部に突設される左右の取付ブラケット２１に、逆Ｕ字状のステーの両端を取付固定している。そして、前押え操作具２はハンドル９の高さと略同じにしており、これにより前押え操作具２とハンドル９とに給油タンク載置用のタンク載台３９を橋渡し状に載せ掛けることができ、該タンク載台３９は水平姿勢となって給油タンク１５を安定よく載置することができる構成にしている。
【００２２】
従って、この実施形態による前押え操作具２を備えた移植機１は、タンク載台３９を外した状態において従来のものと同様に前押え操作具２として随時使用することができると共に、給油作業を行う際にはタンク載台３９を前押え操作具２とハンドル９にセットするだけの操作で、該タンク載台３９に給油タンク１５を安定よく支持し給油作業を行い易くすることができる。
【図面の簡単な説明】
【００２３】
【図１】本発明に係わる前押え操作具の第１実施形態の構成、及び給油作業を示す乗用作業機の全体側面図である。
【図２】図１の平面図である。
【図３】図１の正面図である。
【図４】図１の姿勢切換機構の斜視図である。
【図５】本発明の第２実施形態に係る前押え操作具を備えた移植機の要部の構成を示す側面図である。
【図６】図５の平面図である。
【図７】図５の正面図である。
【図８】本発明の第３実施形態に係る前押え操作具を備えた移植機の要部の構成を示す側面図である。
【図９】図８の平面図である。
【図１０】図８の正面図である。
【図１１】本発明の第４実施形態に係る前押え操作具を備えた移植機の要部の構成を示す側面図である。
【図１２】図１１の平面図である。
【図１３】図１１の正面図である。
【符号の説明】
【００２４】
１    移植機（乗用作業機）
２    前押え操作具
３    走行機体
６    ボンネット
９    操縦部
１２  燃料タンク
１５  給油タンク
１７  下部ステー
１９  姿勢切換機構
２０  上部ステー
【図１】
2008141983.tif 000003
【図２】
2008141983.tif 000004
【図３】
2008141983.tif 000005
【図４】
2008141983.tif 000006
【図５】
2008141983.tif 000007
【図６】
2008141983.tif 000008
【図７】
2008141983.tif 000009
【図８】
2008141983.tif 000010
【図９】
2008141983.tif 000011
【図１０】
2008141983.tif 000012
【図１１】
2008141983.tif 000013
【図１２】
2008141983.tif 000014
【図１３】
2008141983.tif 000015